(57)【要約】【課題】電力及び電力を利用するためのスペースを提供することにより、その利用状況に応じた料金の徴収を可能とする電源賃貸方法を提供する。【解決手段】賃貸主登録手段２６により賃貸主データを受信し、ＩＳＰ登録手段２７によりＩＳＰデータを受信する。また、ユーザ登録手段２４によりユーザデータを受信した場合にユーザＩＤ、ＰＷを送信し、利用認証手段２５によりユーザＩＤ、ＰＷを受信した場合にユーザ認証を行う。また、利用状態監視手段２８により利用開始要求信号をユーザ端末２から受信したときに電力を供給し、利用終了要求信号をユーザ端末２から受信したときに電力の供給を停止する。また、課金手段２９により利用開始要求信号と利用終了要求信号を受信した時間からサービス料を算出し、ユーザ預金口座からサービス料を引き出し、収益分配手段３０によりサービス料を賃貸主預金口座とＩＳＰ預金口座に振り込む処理を行う。【選択図】図１
2006163722.tif 000002
【特許請求の範囲】
【請求項１】
ユーザ端末に対して電力及び前記電力を利用するためのスペースを提供する電源賃貸方法であって、
賃貸主登録手段により、賃貸主預金口座と、前記電力及びスペースを利用する際の料金の希望請求額である希望賃貸料金のデータとを含む賃貸主データを受信する第１のステップと、
ＩＳＰ登録手段により、ＩＳＰ預金口座と、前記ユーザ端末がネットワークを利用する際の料金の希望請求額である希望手数料のデータとを含むＩＳＰデータを受信する第２のステップと、
料金設定手段により、前記第１のステップで受信する希望賃貸料金と、前記第２のステップで受信する希望手数料に基づいて、前記電力及びスペースを利用する際の料金である賃貸料金と、前記ユーザ端末がネットワークを利用する際の料金である手数料を設定する第３のステップと、
ユーザ登録手段により、ユーザ預金口座のデータを含むユーザデータを受信し、ユーザを識別するためのユーザ識別情報及びパスワードを前記ユーザ端末に対して送信する第４のステップと、
利用認証手段により、前記ユーザ端末から受信する前記ユーザ識別情報及びパスワードが、前記ユーザ登録手段が前記ユーザ端末に対して送信したユーザ識別情報及びパスワードと一致するか否かの認証を行う第５のステップと、
利用状態監視手段により、前記利用認証手段において前記ユーザ識別情報及びパスワードが一致した場合であって、電力の供給を要求する利用開始要求信号を前記ユーザ端末から受信したときに前記ユーザ端末に対して電力を供給するとともに、電力の供給の停止を要求する利用終了要求信号を前記ユーザ端末から受信したときに前記ユーザ端末に対する電力の供給を停止する第６のステップと、
課金手段により、前記利用状態監視手段が前記利用開始要求信号を受信してから前記利用終了要求信号を受信するまでの時間に基づいてサービス料を算出し、前記ユーザ登録手段が受信したユーザ預金口座から前記サービス料を引き落とす処理を行う第７のステップと、
収益分配手段により、前記課金手段により引き落としたサービス料から、前記賃貸料金を前記賃貸主預金口座に対して振り込む処理を行うとともに、前記手数料を前記ＩＳＰ預金口座に対して振り込む処理を行う第８のステップと、
を有することを特徴とする電源賃貸方法。
【請求項２】
前記利用監視手段により、前記ユーザ端末に電力の供給が停止したことを示す切断信号を受信する第９のステップを更に有し、
前記第７のステップは、課金手段により、前記利用状態監視手段が前記利用開始要求信号を受信してから前記切断信号を受信するまでの時間に基づいてサービス料を算出し、前記ユーザ登録手段が受信したユーザ預金口座から前記サービス料を引き落とす処理を行うことを特徴とする請求項１に記載の電源賃貸方法。
【請求項３】
前記第７のステップにおいて、前記課金手段により、所定期間が経過する度に一括して、ユーザ預金口座から前記サービス料を引き落とす処理を行うことを特徴とする請求項１又は２に記載の電源賃貸方法。
【請求項４】
前記第８のステップにおいて、収益分配手段により、前記課金手段により引き落としの処理を行ったサービス料から、所定期間が経過する度に一括して、前記賃貸料金を前記賃貸主預金口座に対して振り込む処理を行うとともに、前記手数料を前記ＩＳＰ預金口座に振り込む処理を行うことを特徴とする請求項１〜３のいずれかの項に記載の電源賃貸方法。
【発明の詳細な説明】
【技術分野】
【０００１】
本発明は、ノートＰＣなどのユーザ端末に対して電力、及び、電力を利用するためのスペースを提供し、そのサービスに対する料金を徴収する電源賃貸方法に関する。
【背景技術】
【０００２】
従来から、インターネットカフェなどでＰＣをユーザに対して有料で提供するサービスが知られている。また、携帯電話の電源供給サービスを提供するサービスも知られている。
また、ＰＣなどのユーザ端末を貸与するサービスを行うサービサが、ユーザに対してユーザ端末を貸与し、ユーザがそのユーザ端末を用いてインターネットを利用した場合に、そのユーザ端末の利用時間に応じた料金を請求する課金システムが知られている（特許文献１）。
【特許文献１】特開２００３−４４７５４号公報
【発明の開示】
【発明が解決しようとする課題】
【０００３】
しかしながら、従来知られていたサービスでは、電力を供給するコンセントを利用しても、ユーザ端末によって利用された電力の通電時間を算出していないため、そのコンセントの利用状況に応じた料金の徴収が行えないという問題があった。
また、特許文献１に記載の課金システムでは、サービサから貸与されたユーザ端末を使用するようにしていたため、ユーザがユーザ端末を自ら持ち込んでサービサの施設内のコンセントを使用するような場合には、サービサがユーザに対して電力の利用状況に応じた料金を請求することができないという問題があった。
【０００４】
本発明は、上記事情を考慮してなされたもので、その目的は、電力及び電力を利用するためのスペースを提供することにより、その利用状況に応じた料金の徴収を可能とする電源賃貸方法を提供することにある。
【課題を解決するための手段】
【０００５】
本発明は、上記事情に鑑みてなされたものであり、請求項１に記載の発明は、ユーザ端末に対して電力及び前記電力を利用するためのスペースを提供する電源賃貸方法であって、賃貸主登録手段により、賃貸主預金口座と、前記電力及びスペースを利用する際の料金の希望請求額である希望賃貸料金のデータとを含む賃貸主データを受信する第１のステップと、ＩＳＰ登録手段により、ＩＳＰ預金口座と、前記ユーザ端末がネットワークを利用する際の料金の希望請求額である希望手数料のデータとを含むＩＳＰデータを受信する第２のステップと、料金設定手段により、前記第１のステップで受信する希望賃貸料金と、前記第２のステップで受信する希望手数料に基づいて、前記電力及びスペースを利用する際の料金である賃貸料金と、前記ユーザ端末がネットワークを利用する際の料金である手数料を設定する第３のステップと、ユーザ登録手段により、ユーザ預金口座のデータを含むユーザデータを受信し、ユーザを識別するためのユーザ識別情報及びパスワードを前記ユーザ端末に対して送信する第４のステップと、利用認証手段により、前記ユーザ端末から受信する前記ユーザ識別情報及びパスワードが、前記ユーザ登録手段が前記ユーザ端末に対して送信したユーザ識別情報及びパスワードと一致するか否かの認証を行う第５のステップと、利用状態監視手段により、前記利用認証手段において前記ユーザ識別情報及びパスワードが一致した場合であって、電力の供給を要求する利用開始要求信号を前記ユーザ端末から受信したときに前記ユーザ端末に対して電力を供給するとともに、電力の供給の停止を要求する利用終了要求信号を前記ユーザ端末から受信したときに前記ユーザ端末に対する電力の供給を停止する第６のステップと、課金手段により、前記利用状態監視手段が前記利用開始要求信号を受信してから前記利用終了要求信号を受信するまでの時間に基づいてサービス料を算出し、前記ユーザ登録手段が受信したユーザ預金口座から前記サービス料を引き落とす処理を行う第７のステップと、収益分配手段により、前記課金手段により引き落としたサービス料から、前記賃貸料金を前記賃貸主預金口座に対して振り込む処理を行うとともに、前記手数料を前記ＩＳＰ預金口座に対して振り込む処理を行う第８のステップとを有することを特徴とする電源賃貸方法である。
【０００６】
また、請求項２に記載の発明は、前記利用監視手段により、前記ユーザ端末に電力の供給が停止したことを示す切断信号を受信する第９のステップを更に有し、前記第７のステップは、課金手段により、前記利用状態監視手段が前記利用開始要求信号を受信してから前記切断信号を受信するまでの時間に基づいてサービス料を算出し、前記ユーザ登録手段が受信したユーザ預金口座から前記サービス料を引き落とす処理を行うことを特徴とする請求項１に記載の電源賃貸方法である。
【０００７】
また、請求項３に記載の発明は、前記第７のステップにおいて、前記課金手段により、所定期間が経過する度に一括して、ユーザ預金口座から前記サービス料を引き落とす処理を行うことを特徴とする請求項１又は２に記載の電源賃貸方法である。
【０００８】
また、請求項４に記載の発明は、前記第８のステップにおいて、収益分配手段により、前記課金手段により引き落としの処理を行ったサービス料から、所定期間が経過する度に一括して、前記賃貸料金を前記賃貸主預金口座に対して振り込む処理を行うとともに、前記手数料を前記ＩＳＰ預金口座に振り込む処理を行うことを特徴とする請求項１〜３のいずれかの項に記載の電源賃貸方法である。
【発明の効果】
【０００９】
本発明によれば、ユーザ端末から利用開始要求信号を受信してから利用終了要求信号を受信するまでの時間に基づいてサービス料を算出し、ユーザ預金口座からサービス料を引き落とす処理を行うことにした。これにより、電力及び電力を利用するためのスペースの提供を行うサービサは、ユーザ端末による電力の利用状況に応じて適切なサービス料を徴収することができる。また、スペースの所有者である賃貸主や、ネットワーク設備の提供者であるＩＳＰも賃貸料金や手数料を得ることができる。
【発明を実施するための最良の形態】
【００１０】
始めに、本発明の実施形態による電源賃貸方法のビジネスモデルの概要について説明する。この電源賃貸方法のサービスは、サービサ、ＩＳＰ（Internet Services Provider）、賃貸主の事業者が、ユーザの所有するＰＣ（Personal Computer）などの端末に電力の供給を行うものである。賃貸主は、電力を供給するための電源と、電力の供給を行う際にユーザが滞在するスペースを提供する。ＩＳＰは、ユーザのＰＣなどの端末をネットワークに接続するためのネットワーク設備を提供する。賃貸主、ＩＳＰは、予めサービサに対して登録を行う。サービサは賃貸主とＩＳＰの登録時の情報に基づいて、電源賃貸方法のサービスを提供するにあたり、賃貸主とＩＳＰが受領する料金を調整する。
ユーザが電力の供給を受けたい場合には、賃貸主が提供するスペースへ行き、ＰＣなどの端末を電源に接続する。また、ＰＣなどの端末をＩＳＰが提供するネットワーク設備に接続する。
電力の供給を開始したい場合には、ユーザはネットワークを介して利用開始要求信号を送信する。この利用開始要求信号を受信することにより、電源から電力の供給を開始する。これにより、ユーザは賃貸主から提供されるスペースを利用しながら、ＰＣなどの端末により作業を行うことができる。一方、ユーザが、電力の供給を停止したい場合には、ネットワークを介して利用終了要求信号を送信する。この利用終了要求信号を受信することにより、電源から電力の供給を停止する。その後、サービサは、電力の供給時間を算出し、電源賃貸方法のサービスの提供に対する料金であるサービス料をユーザに請求する。サービサがユーザからサービス料を受領すると、賃貸主とＩＳＰに対して、賃貸料金と手数料の支払いを行う。これにより、サービサ、賃貸主、ＩＳＰは、それぞれサービス料の一部を受領することができる。
【００１１】
以下、図面を参照し、本発明の実施形態について説明する。
図１は、本発明の実施形態による電源賃貸システムの概略構成図である。電源賃貸システムは、中継装置１、ユーザ端末２、ＩＳＰ端末３、賃貸主端末４、電源賃貸データベース５、サービササーバ６を有する。中継装置１、ＩＳＰ端末３、サービササーバ６は、インターネットなどのネットワーク７に接続される。また、ユーザ端末２は、直接、又は、中継装置１を介して、ネットワーク７に接続される。ユーザ端末２、ＩＳＰ端末３、賃貸主端末４としては、ＰＣやノートＰＣなどが用いられる。ＰＣには、入力手段としてキーボードやマウスが接続され、表示手段としてディスプレイ装置が接続される。また、ノートＰＣは、入力手段としてのキーボードと、表示手段としてのディスプレイを有する。
中継装置１は、ユーザ端末２とネットワーク７を接続してデータの送受信を行う。また、電源制御装置３３は中継装置１を介してネットワーク７に接続され、電力を供給するコンセントを有し、ユーザ端末２を駆動するための電力を供給する。
【００１２】
ユーザ端末２は、ユーザ情報登録手段８、利用情報入力手段９、利用状況表示手段３４を有する。また、ユーザ端末２は、本実施形態による電源賃貸システムを利用するユーザが所持する持ち運び可能なノートＰＣ、ＰＤＡ（Personal Digital Assistance）、携帯電話などの小電力電子機器である。
ユーザ情報登録手段８は、ユーザが本実施形態による電源賃貸システムを利用する前提として、ユーザ端末２のキーボードなどの入力手段（図示省略）から入力されたユーザ住所、ユーザ氏名、ユーザ預金口座などを含むユーザデータを、ネットワーク７を介してサービササーバ６に対して送信する。なお、ユーザ預金口座（後述するＩＳＰ預金口座、ユーザ預金口座、サービサ預金口座についても同様）としては、例えば、銀行や郵便局等の金融機関における口座が使用される。
ユーザ住所は、ユーザ端末２を利用するユーザの居住地の住所についてのデータであり、都道府県名、市町村名、番地などからなる。ユーザ氏名は、ユーザ端末２を利用するユーザの氏名についてのデータであり、姓、名などからなる。ユーザ預金口座のデータは、電源賃貸システムのサービスの提供に要するサービス料の引き落としの処理を行う預金口座についてのデータであり、例えば、金融機関の名称、銀行コード、店番、口座番号、口座名義人などからなる。
また、上記したユーザが企業であった場合には、ユーザ住所は企業所在地、ユーザ名は企業名、担当責任者名、利用者名、ユーザ預金口座は決済方法（請求書による支払い、口座からの引き落とし（口座番号と名義人）としてもよい。
利用情報入力手段９は、ユーザが電源賃貸システムを利用する際に必要なユーザＩＤやＰＷ（Pass Word：パスワード）などのデータをユーザ端末２のキーボードなどの入力手段から取得し、ネットワーク７を介して、サービササーバ６に対して送信する。
利用状況表示手段３４は、ユーザ端末２による電力制御装置３３の利用状況についてのデータを、サービササーバ６から受信し、ユーザ端末２の表示画面などに表示する。前記表示方法は、例えばサービササーバ６からユーザ端末２にアプレットをダウンロードさせて、接続時間や課金情報をユーザ端末の表示画面などに表示するプログラムを実行させることで可能となる。
【００１３】
ＩＳＰ端末３は、ＩＳＰ情報登録手段１０、中継情報管理手段１１を有する。ＩＳＰ端末３は、本実施形態による電源賃貸システムに登録するＩＳＰが所持するＰＣなどの端末である。
ＩＳＰ情報登録手段１０は、電源賃貸システムのサービスを提供する前提として、ＩＳＰ住所、ＩＳＰ氏名、ＩＳＰ預金口座、希望手数料などを含むＩＳＰデータを、ＩＳＰ端末３のキーボードなどの入力手段から取得し、ネットワーク７を介してサービササーバ６に対して送信する。
【００１４】
ＩＳＰ住所は、ＩＳＰ端末３を所持するＩＳＰの所在地についてのデータであり、都道府県名、市町村名、番地などからなる。ＩＳＰ氏名は、ＩＳＰ端末３を所持するＩＳＰの名称等についてのデータであり、屋号、社名、責任者名などからなる。ＩＳＰ預金口座は、ＩＳＰが本実施形態による電源賃貸システムによりユーザからサービサに対して支払われるサービス料のうち、ＩＳＰに分配される料金を振り込む口座についてのデータであり、例えば、金融機関の名称、銀行コードや店番、口座番号、口座名義人などからなる。希望手数料は、ユーザ端末２を中継装置１に接続することにより、ネットワーク７を介してデータ通信を行う場合におけるＩＳＰに支払われる料金の希望額のデータである。
中継情報管理手段１１は、中継装置１に接続されるユーザ端末２が、サービササーバ６とデータの送受信を行う場合に、ネットワーク７の障害の監視、通信の維持などを行うことにより通信状態を管理する。
【００１５】
賃貸主端末４は、賃貸主情報登録手段１２、利用状況表示手段１３、賃貸料表示手段１４を有する。賃貸主端末４は、中継装置１を設置するスペースを提供する賃貸主が所持する端末であり、例えば、ＰＣなどである。
賃貸主情報登録手段１２は、本実施形態による電源賃貸システムを提供する前提として、賃貸主住所、賃貸主氏名、賃貸主預金口座、希望賃貸料金を含む賃貸主データを、賃貸主端末４のキーボードなどの入力手段（図示省略）から取得して、ネットワーク７を介して、サービササーバ６に対して送信する。
【００１６】
賃貸主住所は、賃貸主端末４を所持する賃貸主事業者の所在地についてのデータであり、都道府県名、市町村名、番地などからなる。賃貸主氏名は、賃貸主端末４を所持する賃貸主の名称等についてのデータであり、賃貸主事業主の屋号、社名、責任者名などからなる。賃貸主預金口座は、電源賃貸システムのサービスの提供によりユーザからサービサに対して支払われるサービス料のうち、賃貸料金の振込みの処理が行われる賃貸主の預金口座についてのデータであり、例えば、金融機関の名称、銀行コードや店番、口座番号、口座名義人などからなる。希望賃貸料金は、中継装置１からユーザ端末２に対して供給する電力、及び、電力を供給する際にユーザ端末２が占有するスペースを利用する場合における賃貸主に支払われる料金の希望額のデータであり、例えば、１０分あたりのスペースの賃貸料などからなる。
【００１７】
利用状況表示手段１３は、ユーザ端末２による電力制御装置３３の利用状況についてのデータを、サービササーバ６から受信し、賃貸主端末４の表示画面などに表示する。
賃貸料表示手段１４は、ユーザ端末２の中継装置１の利用状況に基づいて算出される、賃貸料金についてのデータをサービササーバ６から受信し、賃貸主端末４の表示画面などに表示する。
【００１８】
電源賃貸データベース５は、ユーザ情報テーブル１５、賃貸主情報テーブル１６、コンセント情報テーブル１７、ＩＳＰ情報テーブル１８、課金情報テーブル１９、課金履歴情報テーブル２０、収益分配情報テーブル２１、収益分配履歴情報テーブル２２を有する。電源賃貸データベース５は、電源賃貸システムを提供するサービサが所持するサーバであり、サービササーバ６に接続される。なお、本願明細書中では、サービササーバ６に電源賃貸データベース６が接続される場合について説明するが、サービササーバ６内のハードディスクなどの記録手段により電源賃貸データベース１５を構成することもできる。
ユーザ情報テーブル１５には、ユーザ端末２の所有者であるユーザについてのデータが記録され、例えば、ユーザＩＤ、ユーザ氏名、ユーザ住所、生年月日、連絡先、ユーザ預金口座などのデータがそれぞれ対応付けて記録される。
【００１９】
賃貸主情報テーブル１６には、賃貸主端末４の所有者である賃貸主についてのデータが記録され、上述したように例えば、賃貸主ＩＤ、賃貸主氏名、賃貸主住所、連絡先、賃貸主預金口座などのデータがそれぞれ対応付けて記録される。
コンセント情報テーブル１７には、ユーザ端末２を接続することにより電力の供給を受けるコンセントについてのデータが記録され、例えば、コンセントＩＤ、課金単価などのデータがそれぞれ対応付けて記録される。コンセントＩＤは、ユーザ端末２に電力を供給するコンセントが複数存在する場合に、それぞれのコンセントを区別するために付与される識別情報である。また、課金単価は、電源賃貸システムのサービスを提供する場合に、ユーザ端末２の所有者であるユーザに対して請求する単位時間あたりのサービス料についてのデータである。
ＩＳＰ情報テーブル１８には、ＩＳＰ端末３の所有者であるＩＳＰについてのデータが記録され、例えば、ＩＳＰＩＤ、ＩＳＰ預金口座を含むＩＳＰデータがそれぞれ対応付けて記録される。ＩＳＰＩＤは、ＩＳＰが複数存在する場合に、それぞれのＩＳＰを区別するために付与される識別情報である。
【００２０】
課金情報テーブル１９には、賃貸主端末４から送信される希望賃貸料金に基づいて設定される賃貸料金データ、ＩＳＰ端末３から送信される希望手数料に基づいて設定される手数料データ、電源賃貸システムのサービスの提供にあたりサービサが得る料金についての課金情報のデータが、特定のコンセントＩＤに対応付けて記録される。
課金履歴情報テーブル２０には、特定のコンセントＩＤとユーザＩＤ、課金額、利用時間を管理するためのデータが記録される。
収益分配情報テーブル２１には、電源賃貸システムのサービスの提供によりユーザ預金口座から引き落としの処理が行われるサービス料を、賃貸主預金口座、ＩＳＰ預金口座、サービサ預金口座へ分配する割合についての収益分配情報のデータが、特定のコンセントＩＤに対応付けて記録される。
収益分配履歴情報テーブル２２には、コンセントＩＤと賃貸主ＩＤ、ＩＳＰＩＤ、賃貸料金、手数料、利用時間を管理するためのデータが記録される。
【００２１】
サービササーバ６は、料金設定手段２３、ユーザ登録手段２４、利用認証手段２５、賃貸主登録手段２６、ＩＳＰ登録手段２７、利用状態監視手段２８、課金手段２９、収益分配手段３０、データベース生成更新手段３１、データベース検索手段３２を有する。サービササーバ６は、電源賃貸システムのサービスを提供するサービサが所持するサーバであり、ネットワーク７に接続される。また、サービササーバ７は、電源賃貸データベース５に接続され、電源賃貸データベース５に対してデータの読み書きを行う。
【００２２】
料金設定手段２３は、ＩＳＰ情報登録手段１０から希望手数料のデータを、賃貸主情報登録手段１２から希望賃貸料金のデータを取得する。また、賃貸主の希望賃貸料と、ＩＳＰの希望手数料と、サービサがユーザから受領するサービス料とを考慮して、収益配分に基づき、賃貸主への賃貸料と、ＩＳＰの手数料を設定する。賃貸料や手数料は、賃貸主やＩＳＰに対して入札方式などを用いることにより設定される。料金設定手段２３が設定した手数料、賃貸料金、サービス料のデータは、データベース生成更新手段３１により、電源賃貸データベース５の課金情報テーブル１９に記録される。
なお、手数料、賃貸料金、サービス料に変更があった場合には、課金情報テーブル１９が更新されるとともに、課金履歴情報テーブル２０に変更前の手数料、賃貸料金、サービス料が記録される。
【００２３】
ユーザ登録手段２４は、前記ユーザ情報登録手段８から送信されたユーザ住所、ユーザ氏名、ユーザ預金口座などのユーザデータを取得する。該ユーザ登録手段２４が取得したユーザデータは、データベース生成更新手段３１により、電源賃貸データベース５のユーザ情報テーブル１５に記録される。
利用者認証手段２５は、利用情報入力手段９からユーザＩＤ及びＰＷのデータを取得する。データベース検索手段３２は、利用者認証手段２５が取得したユーザＩＤ及びＰＷがユーザ情報テーブル１５に記録されているか否かについて検索を行う。
賃貸主登録手段２６は、賃貸主情報登録手段１２から送信された賃貸主住所、賃貸主氏名、賃貸主預金口座、希望賃貸料金などの賃貸主データを取得する。賃貸主登録手段２６が取得した賃貸主データは、データベース生成更新手段３１により、賃貸主情報テーブル１６に記録される。
【００２４】
ＩＳＰ登録手段２７は、ＩＳＰ情報登録手段１０から送信されたＩＳＰ住所、ＩＳＰ氏名、ＩＳＰ預金口座、希望手数料などのＩＳＰデータを取得し、そのＩＳＰデータをデータベース生成更新手段３１によりＩＳＰ情報テーブル１８に記録する。
利用状態監視手段２８は、電力制御装置３３がユーザ端末２に供給している電力の状態を示す監視信号のデータを、電力制御装置３３から取得する。
課金手段２９は、ユーザ端末２から利用開始要求信号と利用終了要求信号を受信した時間から、ユーザ端末２への電力の供給時間を決定し、ユーザに対して請求するサービス料を算出する。
収益分配手段３０は、収益分配情報テーブル２１に記録されている収益分配情報に基づいて、ユーザ預金口座から引き落としの処理が行われるサービス料のうち、手数料と賃貸料金を、ＩＳＰ預金口座と賃貸主預金口座にそれぞれ振り込む処理を行う。
【００２５】
図２は、本実施形態による電源賃貸システム（図１参照）における処理の流れを示す図である。始めに、賃貸主端末４の賃貸主情報登録手段１２は、賃貸主住所、賃貸主氏名、賃貸主預金口座、希望賃貸料金などを含む賃貸主データを取得し、サービササーバ６に送信する（ステップＳ１１）。サービササーバ６の賃貸主登録手段２６により受信される賃貸主データは、データベース生成更新手段３１により賃貸主情報テーブル１６に記録される。
また、ＩＳＰ端末３のＩＳＰ情報登録手段１０は、ＩＳＰ住所、ＩＳＰ氏名、ＩＳＰ預金口座、希望手数料などを含むＩＳＰデータを取得し、サービササーバ６に送信する（ステップＳ１２）。サービササーバ６のＩＳＰ登録手段２７により受信されるＩＳＰデータは、データベース生成更新手段３１によりＩＳＰ情報テーブル１８に記録される。
サービササーバ６は、賃貸主情報登録手段１２が取得した希望賃貸料金と、ＩＳＰ情報登録手段１０が取得した希望手数料に基づいて、ユーザから徴収するサービス料のうち、賃貸主に配分する賃貸料金と、ＩＳＰに配分する手数料を設定する。
【００２６】
次に、ユーザ端末２のユーザ情報登録手段８は、ユーザ住所、ユーザ氏名、ユーザ預金口座などを含むユーザデータを取得し、サービササーバ６に送信する（ステップＳ１３）。サービササーバ６のユーザ登録手段２４により受信されるユーザデータは、データベース生成更新手段３１によりユーザ情報テーブル１５に記録される。
サービササーバ６は、ユーザ情報テーブル１５にユーザデータが記録されると、ユーザ端末２に対してユーザＩＤ及びＰＷのデータを送信する（ステップＳ１４）。ユーザＩＤは、電源賃貸システムのサービスの提供を受けるための登録を行っているユーザを識別するためのデータである。
【００２７】
次に、ユーザ端末２を電力制御装置３３のコンセントに接続する。また、ユーザ端末２を、中継装置１を介してネットワーク７に接続する。そして、ユーザ端末２は、ネットワーク７を介して、ユーザＩＤと、ＰＷと、電力制御装置３３の電力の供給を受けるコンセントを識別するためのコンセントＩＤと、ユーザ端末２が電力制御装置３３のコンセントから電力の供給の開始を要求する利用開始要求信号とを、サービササーバ６に対して送信する。サービササーバ６が利用開始要求信号を受信すると、サービササーバ６は、電力制御装置３３に対してコンセントから電力を供給する制御信号を送信する。これにより、電力制御装置３３のコンセントからユーザ端末２に対して電力の供給が開始される（ステップＳ１５）。
一方、ユーザ端末２は、電力制御装置３３からユーザ端末２に電力を供給するのを停止する場合には、ユーザＩＤと、コンセントＩＤと、ユーザ端末２が電力制御装置３３のコンセントから電力の供給の停止を要求する利用終了要求信号とを、サービササーバ６に対して送信する。サービササーバ６は、利用終了要求信号を受信すると、中継装置１に対してコンセントから供給する電力を停止する制御信号を送信する。これにより、中継装置１からユーザ端末２に対する電力の供給が停止される（ステップＳ１５）。
【００２８】
次に、課金手段２９は、利用状態監視手段２８が利用開始要求信号を受信してから利用終了要求信号を受信するまでの時間に基づいてサービス料を算出し、ユーザ預金口座からネットワーク７を介して、サービサの預金口座からサービス料の引き落としの処理を行う（ステップＳ１６）。
次に、サービササーバ６は、ユーザ預金口座から振り込みの処理が行われたサービス料のうち、賃貸主預金口座、賃貸料金のデータに基づいて、賃貸料金を賃貸主預金口座に振り込む処理を行う（ステップＳ１７）。また、サービササーバ６は、ユーザ預金口座から振り込まれたサービス料のうち、ＩＳＰ預金口座、手数料のデータに基づいて、手数料をＩＳＰ預金口座に振り込む処理を行う（ステップＳ１８）。サービス料から、賃貸料と手数料を除いた残額は、サービサの預金口座に留保される。
なお、図２において、実線で示した処理（ステップＳ１１〜Ｓ１５）は、データの処理の流れを示しており、点線で示した処理（ステップＳ１６〜Ｓ１８）は、金銭の処理の流れを示している。
【００２９】
上述した実施形態による電源賃貸システムでは、電源を供給するコンセント付きのスペースを、ユーザ端末２を所持するユーザに有料で貸与し、ネットワーク７を介して、電力の供給状態を管理することにした。これにより、ネットワーク７上でサービサ預金口座に対するサービス料の振込みの処理や、賃貸主預金口座やＩＳＰ預金口座に対する希望賃貸料金や希望手数料の振込みの処理を行うことができる。また従来、電力を供給するコンセントをユーザ端末２により使用しても、コンセントの使用に対するサービス料金を回収することはできなかったが、上述した電源賃貸システムでは、電力の利用状況に応じたサービス料をユーザ預金口座から引き落とす処理を行うことが可能となり、以前は利益を得ることが難しかったコンセント付きのスペースの利用価値を高めて、ＩＳＰや賃貸主が利益を得ることができるようになる。また、ユーザは、本実施形態による電源賃貸システムを利用する際に現金が不要であるため、ユーザの利便性を向上させることができる。
【００３０】
なお、上述した実施形態においては、利用終了要求信号を受信した場合に、ユーザ端末２に対する電力の供給を停止して、サービササーバ６が利用開始要求信号と利用終了要求信号を受信した時間からサービス料を算出する場合について説明したが、このような構成に限定されるものではない。ユーザ端末２がユーザ端末用コンセント４０から切断された場合に、切断信号をサービササーバ６に送信し、サービササーバ６が利用開始要求信号と切断信号を受信した時間からサービス料を算出するようにすることもできる。
【００３１】
また、上述した実施形態では、ユーザ端末２に電力の供給が終了した後、サービス料をユーザ預金口座から引き落とす処理を行う場合について説明したが、このような構成に限定されるものではない。サービス料をユーザ預金口座から月に１回など、所定期間が経過する度に一括して引き落とすように処理を行うこともできる。
また、上述した実施形態では、サービサ預金口座に対してユーザ預金口座からサービス料が振り込まれる処理が行われた後、サービサ預金口座から賃貸料金や手数料を、賃貸主預金口座やＩＳＰ預金口座に振り込む処理を行う場合について説明したが、このような構成に限定されるものではない。サービス料を賃貸主預金口座やＩＳＰ預金口座に対して月に１回など、所定期間が経過する度に一括して振り込む処理を行うようにしてもよい。
【００３２】
また、ユーザが電源賃貸システムを所定金額以上利用した場合に、マイレージを付与し、ユーザが次回、電源賃貸システムを利用する際にそのマイレージを使用して割引を行うサービスを付加することもできる。
また、サービサは、インターネットなどのネットワーク７上にＨＰ（Home page）を開設し、賃貸主やユーザを募集して、ネットワーク７上からサービササーバ６に登録できるようにしても構わない。
また、本実施形態による電源賃貸システムに予め登録している会員であるユーザのユーザ端末だけでなく、ビジターであるユーザのユーザ端末に、この電源賃貸システムのサービスを提供しても構わない。この場合、ビジターであるユーザに比べて、会員であるユーザのサービス料を所定の金額（例えば、サービス料の５パーセントなど）だけ割引を行うようにしても構わない。
また、本実施形態による電源賃貸システムは、週貸し、月貸しなど、所定期間継続して使用を認めるようにしても構わない。
また、ＩＤおよびＰＷを持たない未登録ユーザに対して電源を供給するサービスを行う際、賃貸主が自らのＩＤおよびＰＷにより決済を立替えして、未登録ユーザとの間で対価の授受を行うようにしても構わない。
【００３３】
また、上述した実施形態においては、サービス料をユーザ預金口座から引き落とす処理を行う場合について説明したが、ユーザがサービサに対してサービス料を支払う際にクレジットカードを利用して決済を行う構成とするこもできる。また、ユーザ預金口座に残高が無くてサービス料を引き落とす処理を行うことができない場合には、ユーザ端末２の表示画面に「預金口座の残高が不足しています。しばらくすると電力の供給を停止します。」等のメッセージを表示して電力の供給を停止したり、あるいは、ユーザ端末２の所有者であるユーザのクレジットカードによる決済を行うようにすることもできる。
また、上述した実施形態では、ユーザ端末２から利用開始要求信号や利用終了要求信号を送信することにより電力の供給を受けたり、電力の供給を停止させたりする場合について説明したが、このような構成に限定されるものではない。ユーザ端末２以外の端末、例えば、ユーザが所有する携帯端末（携帯電話など）から利用開始要求信号や利用終了要求信号を送信する構成にすることもできる。
また、上述した実施形態において、ＩＳＰ、賃貸主、サービサの事業は、それぞれ異なる事業者が行うようにしてもよいし、１つの事業者が複数の事業を行うようにしてもよい。
また、上述した実施形態では、中継装置１とユーザ端末２を有線で接続してデータ通信を行う場合について説明したが、このような構成に限定されるものではない。中継装置１とユーザ端末２の間で、無線ＬＡＮ（Local Area Network）やＰＬＣ（Power Line Communication）によりデータ通信を行うようにすることもできる。
【００３４】
なお、以上説明した実施形態において、ユーザ情報登録手段８、利用情報入力手段９、ＩＳＰ情報登録手段１０、中継情報管理手段１１、賃貸主情報登録手段１２、料金設定手段２３、ユーザ登録手段２４、利用認証手段２５、賃貸主登録手段２６、ＩＳＰ登録手段２７、利用状態監視手段２８、課金手段２９、収益分配手段３０の機能を実現するためのプログラムをコンピュータ読み取り可能なＣＤ（Compact Disk）やＦＤＤ（Floppy（登録商標） Disk Drive）、フラッシュメモリ等の記録媒体に記録して、この記録媒体に記録されたプログラムをコンピュータシステムに読み込ませ、実行することにより電源賃貸システムによる処理を行ってもよい。なお、ここでいう「コンピュータシステム」とは、ＯＳや周辺機器等のハードウェアを含むものとする。
【００３５】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３６】
【図１】本発明の実施形態による電源賃貸システムの概略構成図である。
【図２】本実施形態による電源賃貸システムにおける処理の流れを示す図である。
【符号の説明】
【００３７】
１・・・中継装置、２・・・ユーザ端末、３・・・ＩＳＰ端末、４・・・賃貸主端末、５・・・電源賃貸データベース、６・・・サービササーバ、７・・・ネットワーク、８・・・ユーザ情報登録手段、９・・・利用情報入力手段、１０・・・ＩＳＰ情報登録手段、１１・・・中継情報管理手段、１２・・・賃貸主情報登録手段、１３・・・利用状況表示手段、１４・・・賃貸料表示手段、１５・・・ユーザ情報テーブル、１６・・・賃貸主情報テーブル、１７・・・コンセント情報テーブル、１８・・・ＩＳＰ情報テーブル、１９・・・課金情報テーブル、２０・・・課金履歴情報テーブル、２１・・・収益分配情報テーブル、２２・・・収益分配履歴情報テーブル、２３・・・料金設定手段、２４・・・ユーザ登録手段、２５・・・利用認証手段、２６・・・賃貸主登録手段、２７・・・ＩＳＰ登録手段、２８・・・利用状態監視手段、２９・・・課金手段、３０・・・収益分配手段、３１・・・データベース生成更新手段、３２・・・データベース検索手段、３３・・・電源制御装置、３４・・・利用状況表示手段
【図１】
2006163722.tif 000003
【図２】
2006163722.tif 000004